(57)【特許請求の範囲】
【請求項１】
本体と、
前記本体に取り付けられる蓋体と、
前記本体の前面に、互いに対向する位置において前記本体から突出して設けられた少なくとも一対の第１嵌合部と、
前記本体と前記蓋体とを係合させた場合に前記いずれかの第１嵌合部にそれぞれ嵌合するように、前記蓋体に設けられた少なくとも一対の第２嵌合部と、
前記蓋体に設けられ、前記第１嵌合部と前記第２嵌合部との嵌合を誘導する少なくとも一対のガイド部とを含み、
前記第１及び第２嵌合部は、前記蓋体の開口縁をたわませることではずれるように形成され、
前記第２嵌合部は、前記蓋体から突出した突出部を有し、
前記第１嵌合部は前記蓋体の着脱方向に突出しており、その先端が前記本体の内側に傾斜し、かつ前記第１嵌合部の先端が内側に傾斜し始める部分には、前記第２嵌合部の突出部が嵌合する開口を有する貫通孔が形成されており、
前記貫通孔の外側面の開口面積は、前記貫通孔の内側面の開口面積よりも大きくなるように形成されている、嵌合構造を有する筐体。
【請求項２】
前記突出部の断面形状及び前記開口は円状である、請求項１に記載の嵌合構造を有する筐体。
【請求項３】
前記第１嵌合部は、前記蓋体の着脱方向に突出しており、かつ前記蓋体の内面と接触するアーム部を有し、
前記ガイド部は、前記本体と前記蓋体とを係合させた場合に、前記アーム部がはまるように形成されている、請求項１に記載の嵌合構造を有する筐体。
【請求項４】
前記本体は、レンズ及び撮像素子をさらに含み、前記蓋体は、レンズカバーである、請求項１に記載の嵌合構造を有する筐体。
【発明の詳細な説明】
【０００１】
【発明の属する技術分野】
本発明は、嵌合構造を備えた筐体に関するものである。
【０００２】
【従来の技術】
図７は従来の嵌合構造を有する筐体の一例として、カバー２０が取り外された状態の側面図を示す。図８は図７の筐体の斜視図である。図７及び図８に示すとおり、筐体は、本体１０とカバー２０とから構成されている。カバー２０の外面の上下左右の幅は、本体１０の外面と等しくなるように構成されている。カバー２０には、カバー２０から突出し、爪先端３５が先端に形成された断面Ｌ字状の嵌合爪３０が互いに対向するように設けられている。本体１０には、嵌合爪３０と嵌合するように設けられた断面Ｌ字状の矩形状からなる嵌合穴５０と、カバー２０を本体１０に導くためのガイド部４０とが本体１０の前面に設けられている。ガイド部４０は、カバー２０の厚み分だけ本体１０よりも一回り小さく外周が形成されている。カバー２０をガイド部４０にかぶせるようにしながら本体１０に取り付けると、カバー２０の外面と本体１０の外面とが一致した状態で両者が係合される。
【０００３】
図９は前記筐体における嵌合穴５０と嵌合爪３０との係合部分の拡大図を示し、図９（ａ）は、筐体の嵌合穴と折り爪との間に設けられたマージンを表す説明図、図９（ｂ）は筐体の折り爪が嵌合穴の一辺に接触している時の説明図を示している。図９（ａ）に示すとおり、嵌合穴５０の穴先端５５は、カバー２０の着脱が容易なように、嵌合爪３０の爪先端３５に対してマージン（Ｍ）を持って形成されている。嵌合爪３０と嵌合穴５０とは、面で接触するため図９（ｂ）に示すように、例えばカバー２０と本体１０とを離す方向（図中矢印方向）に引っ張り（テンション）が生じている場合、図中矢印方向のぐらつきは低減しているが、矢印と交差する方向、例えば両者が接する面に沿う方向のぐらつきは抑えることができない。
【０００４】
カバー２０と本体１０の嵌合動作は次の通りである。カバー２０は、ガイド部４０により本体１０に導かれる。カバー２０に設けられた嵌合爪３０が本体１０に設けられた嵌合穴５０にはめ込まれることにより、カバー２０は本体１０に固定される。
上記のような構造の筐体は、カバー２０を本体１０から取り外す際には、ガイド部４０が障害となって、カバー２０の取り外しが容易でない。一方で、嵌合穴５０と嵌合爪３０とが面で接する構成となっているため、カバー２０が本体１０に固定された後であっても両者が接する面と交差する方向にぐらつきが生じ易く、外力に対して外れやすい構造となっている。このようにカバー２０の取り外しの際には作業効率が悪く、取り付け後には安定性が悪い。
【０００５】
【発明が解決しようとする課題】
そこで、取り付け後の安定性を高めるために、ネジによりカバー２０と本体１０を固定することも考えられている。図１０は従来の嵌合構造を有する筐体の他の一例の側面図を示している。図１０において、図７と同一の符号番号で示した構成要素は前記と同一の意味で使用している。カバー２０には、嵌合爪３０と対向する位置にネジ穴８０が設けられている。ネジ７０をネジ穴８０にネジ止めすることにより、本体１０とカバー２０を完全に固定する。前記のような構成にすると、本体１０とカバー２０の取り付け後のぐらつきは減少する。しかし、着脱の際にネジの取り付け及び取り外しが必要であり、かつ、上記と同様にガイド部４０が障害となって取り外しが容易でないため作業効率は改善できていない。
【０００６】
本体１０にカメラ機能を搭載した場合、更なる問題が生じる。図１１は図７における本体に、レンズや撮像素子、必要に応じて絞りやシャッター等の光量調節手段を搭載した監視カメラの側面図を示している。本体１０のガイド部４０の前面には、レンズ６１と焦点調節部６２を備えたレンズ部６０が設けられている。このような構成の場合、ガイド部４０が障害となってカバー２０の取り外しが容易でないために、無理に力を加えて外す場合が多い。この時、力を加えられたカバー２０が焦点調節部６２と接触する事により焦点調整がずれるという問題が生じる。また、固定設置の監視カメラの場合、本体１０に力が加わることによりカメラの方向がずれてしまうという問題が生じる。さらに、ズームレンズを使用しているときは、カバー２０がズーム調整部と接触する事で画角調整がずれるという問題も生じる。
【０００７】
そこで、本発明は、着脱の際の作業効率を向上させる嵌合構造を有する筐体を提供することを目的とする。また、本発明は、係合後の安定性が向上する嵌合構造を提供することを目的とする。
【０００８】
上記課題を解決するために、本願第１発明は、本体と、前記本体に取り付けられる蓋体と、前記本体の前面に、互いに対向する位置において前記本体から突出して設けられた少なくとも一対の第１嵌合部と、前記本体と前記蓋体とを係合させた場合に前記いずれかの第１嵌合部にそれぞれ嵌合するように、前記蓋体に設けられた少なくとも一対の第２嵌合部と、前記蓋体に設けられ、前記第１嵌合部と前記第２嵌合部との嵌合を誘導する少なくとも一対のガイド部とを含み、前記第１及び第２嵌合部は、前記蓋体の開口縁をたわませることではずれるように形成され、前記第２嵌合部は、前記蓋体から突出した突出部を有し、前記第１嵌合部は前記蓋体の着脱方向に突出しており、その先端が前記本体の内側に傾斜し、かつ前記第１嵌合部の先端が内側に傾斜し始める部分には、前記第２嵌合部の突出部が嵌合する開口を有する貫通孔が形成されており、前記貫通孔の外側面の開口面積は、前記貫通孔の内側面の開口面積よりも大きくなるように形成されている、嵌合構造を有する筐体を提供する。
本体及び蓋体は、第１嵌合部と第２嵌合部とにより固定可能である。さらに、蓋体をたわませて容易に取り外しができ、作業効率の改善が可能である。
本体と蓋体とを係合させた場合に、第１嵌合部の開口と第２嵌合部の突出部とが嵌合するので嵌合を強化することが可能である。開口は、貫通孔または凹部により形成されている。
第１嵌合部の先端が、本体の内側に傾斜していることにより、蓋体及び第２嵌合部を容易に第１嵌合部に導くことが可能である。
第１嵌合部の外側面の開口面積が第１嵌合部の内側面の開口面積よりも大きくなるように形成されているので、取り付け時の係合安定性を保ちつつ着脱が容易となる。
【０００９】
本願第２発明は、第１発明において、前記突出部の断面形状及び前記開口は円状である、嵌合構造を有する筐体を提供する。  円柱状の突出部の側面が、貫通孔または凹部により形成される筒状の内面に接するので、両者の接触部分の形状が直線状となり、ぐらつきにくい。そのため外力に対して強い構成となる。
【００１０】
本願第３発明は、第１発明において、前記第１嵌合部は、前記蓋体の着脱方向に突出しており、かつ前記蓋体の内面と接触するアーム部を有し、前記ガイド部は、前記本体と前記蓋体とを係合させた場合に、前記アーム部がはまるように形成されている嵌合構造を有する筐体を提供する。
蓋体内のガイド部に沿って第１嵌合部のアーム部を移動させることで、第２嵌合部と第１嵌合部の位置合わせを確実かつ容易にできる。
【００１１】
本願第４発明は、第１発明において、前記本体は、レンズ及び撮像素子をさらに含み、前記蓋体は、レンズカバーである嵌合構造を有する筐体を提供する。
蓋体をたわませることにより、レンズ及び撮像素子を含む本体から蓋体を容易に取り外しできる。よって、本体に無理な力が加わることが低減され、調整されている焦点のずれや、カメラ方向のずれを防ぐことができる。さらにズームレンズを使用しているときは、蓋体がズーム調整部と接触することによる画角のずれも防止できる。
【００１７】
【発明の実施の形態】
以下に図面を参照して、本発明の実施形態を説明する。図１は本発明の第１実施形態例に係る嵌合構造を有する筐体の斜視図、図２は図１における支持部の拡大図、図３は図１におけるカバーの拡大図、図４は図１における嵌合爪とガイド部の拡大図、図５は図１における屈曲した支持部の拡大側面図を示している。以下、図１から図５に沿って説明を行う。
【００１８】
筐体は、主に、断面が矩形状の本体１０と力を加えると若干たわむ材質例えば樹脂からなるカバー２０とから構成されている。本体１０とカバー２０とは、両者を係合させた状態で両者の外面が概ね滑らかに連続するように形成されている。本体１０には、少なくとも１対の支持部９０が互いに対向するように設けられている。これらの支持部９０は、本体１０の一面のうちカバー２０で覆われる面に、その面と交差する方向に突出して形成されている（図１参照）。支持部９０は、本体１０とカバー２０とが係合した時に、カバー２０の内面と接触する合わせ面１１０を有しており、合わせ面１１０上には嵌合孔１００が設けられている。支持部９０の先端は、後述するレール状のガイド部１４０にはめ込みやすいように、徐々に狭まる形状例えば半円状となっていると好ましい（図２参照）。カバー２０には、本体側の嵌合孔１００と嵌合するようにカバー２０の内面から突出する嵌合爪１３０が設けられている。また、カバー２０には、嵌合孔１００と嵌合爪１３０との位置あわせが容易なように、ガイド部１４０が設けられている（図３、４参照）。
【００１９】
以下に各構成部分の詳細説明を行う。
本体１０の支持部９０に形成された嵌合孔１００は、カバー２０の嵌合爪１３０の形状に合わせて形成される。嵌合孔１００及び嵌合爪１３０の断面形状は、矩形状、円状等、どのような形状であっても良いが、円状であることが好ましい。こうすることで、嵌合爪１３０と嵌合孔１００とが接触した状態におけるぐらつきが低減される。また、嵌合爪１３０の先端を半球状に形成すると、カバー２０を本体１０に取り付ける時に、嵌合爪１３０が嵌合孔１００にはまりやすく好ましい。さらに、嵌合爪１３０が嵌合孔１００にはめ込まれた時には、嵌合爪１３０が嵌合孔１００より突出する形状であることが好ましい。前記のような形状とすることで、嵌合爪１３０と嵌合孔１００との嵌合を強化することが可能である。なお、支持部９０に嵌合孔１００に代え、凹部を設けた構成も考えられる。
【００２０】
図５に示すように、支持部９０の形状は、その先端が内側に曲がって形成されていると、本体１０にカバー２０を容易に導入可能であり好ましい。支持部９０の先端部が曲がる角度は特に限定されないが、嵌合爪１３０を嵌合孔１００に容易に導入できる程度に本体の内側に向かって曲がって形成されていることが好ましい。
【００２１】
さらに、嵌合孔１００は、合わせ面１１０上及び支持部９０のカーブ開始部分に形成されていると好ましい。この構成により、嵌合孔１００の外面上の開口１００ａの面積が内面上の開口１００ｂの面積よりも広くなり、取り付け時の係合安定性を保ちつつ一段と着脱が容易となる。また、嵌合爪１３０の着脱方向に、嵌合孔１００の外側の開口１００ａが若干開いた構成となるため、さらに着脱が容易となる。
【００２２】
図４に示すように、ガイド部１４０は、嵌合爪１３０の両側にレール状に設けられている。レール状のガイド部１４０は、その間に支持部９０の合わせ面１１０がはまるように形成されていると好ましい。ガイド部１４０に沿って支持部９０が導入されるので、嵌合爪１３０と嵌合孔１００との位置合わせが確実かつ容易にできる。
【００２３】
本発明の第１実施形態例として、支持部９０に嵌合孔１００を、カバー２０に嵌合爪１３０を設けているが、支持部９０に嵌合爪１３０を、カバー２０に嵌合孔１００を設ける構成としても本発明の効果を達成することが可能である。
さらに、図６に示すように、本体１０をレンズや撮像素子、必要に応じて絞りやシャッター等の光量調節手段を搭載した監視カメラとすることも可能である。このような構成のカメラの場合、カバー２０をたわませることにより容易に着脱ができるので、作業効率を向上することができる。その際に、本体１０やカバー２０に無理な力がかからないので、すでに調整されている焦点や、カメラの方向がずれてしまうことを防止できる。さらにズームレンズを使用しているときは、カバー２０がズーム調整部と接触することによる画角のずれも防止できる。
【００２４】
カバー２０と本体１０との嵌合動作は次の通りである。支持部９０がガイド部１４０に沿って移動することにより、カバー２０は本体１０に導かれる。嵌合爪１３０が支持部９０に接触すると、カバー２０は、嵌合爪１３０の突出分だけ押し広げられる。嵌合爪１３０が嵌合孔１００まで導かれてはめ込まれると、押し広げられたカバー２０のたわみは無くなり、カバー２０は本体１０に固定される。この時のカバー２０と本体１０との固定は、カバー２０と接触する合わせ面１１０と、嵌合爪１３０及び内側の嵌合孔１００ｂの嵌合と、本体１０と接触するカバー２０の接触面１４５により行われる。
【００２５】
本体１０からのカバー２０の取り外し動作は次の通りである。カバー２０の嵌合爪１３０が設けられていない側面を押すと、嵌合爪１３０が設けられている側面が外側にたわむ。カバー２０がたわむことにより嵌合爪１３０が嵌合孔１００より外れ、カバー２０を本体１０から取り外すことができる。
【００２６】
【発明の効果】
本発明を用いれば、着脱が容易で、取り付け後の安定性が向上する嵌合構造を有する筐体を提供することができる。
【図面の簡単な説明】
【図１】本発明の第１実施形態例に係る嵌合構造を有する筐体の斜視図。
【図２】本発明の第１実施形態例に係る支持部の拡大図。
【図３】本発明の第１実施形態例に係るカバーの拡大図。
【図４】本発明の第１実施形態例に係る嵌合爪とガイド部の拡大図。
【図５】本発明の第１実施形態例に係る屈曲した支持部の側面図。
【図６】本発明による第１実施形態例を、光量調節手段を搭載した監視カメラに適用した場合の斜視図。
【図７】従来の嵌合構造を有する筐体の側面図。
【図８】従来の嵌合構造を有する筐体の斜視図。
【図９】（ａ）従来の嵌合構造を有する筐体の嵌合穴と折り爪の間に設けられたマージンを表す平面図。
（ｂ）従来の嵌合構造を有する筐体の折り爪が嵌合穴の一辺に接触している時の平面図。
【図１０】従来の嵌合構造を有する筐体の他の側面図。
【図１１】従来の嵌合構造を有する筐体の本体に光量調節手段を搭載した監視カメラの側面図。
【符号の説明】
１０：本体
２０：カバー
３０：嵌合爪
３５：爪先端
４０：ガイド部
５０：嵌合穴
５５：穴先端
６０：レンズ部
６１：レンズ
６２：焦点調節部
７０：ネジ
８０：ネジ穴
９０：支持部
１００：嵌合孔
１１０：合わせ面
１３０：嵌合爪
１４０：ガイド部
１４５：接触面
【図１】
0003901545.tif 000002
【図２】
0003901545.tif 000003
【図３】
0003901545.tif 000004
【図４】
0003901545.tif 000005
【図５】
0003901545.tif 000006
【図６】
0003901545.tif 000007
【図７】
0003901545.tif 000008
【図８】
0003901545.tif 000009
【図９】
0003901545.tif 000010
【図１０】
0003901545.tif 000011
【図１１】
0003901545.tif 000012